(57)【特許請求の範囲】
【請求項１】
物品を収納するための複数の区画を備える、車両用収納装置であって、
車室内に設けられており、
取出口を備える貯蔵スペース（２）と、
前記貯蔵スペース（２）内に収納され、少なくとも一つの区画（６１０）を備える少なくとも一つの収納ユニット（６１）と、
前記少なくとも一つの収納ユニット（６１）の位置を前記貯蔵スペース（２）内で調整可能であり、調整された該収納ユニット（６１）の位置に応じ、該収納装置の特定の区画（６１０）に取出口を介してユーザがアクセス可能とする、調整装置（４２）とを少なくとも備え、
さらに少なくとも、
電子メモリと、
前記少なくとも一つの区画（６１０）内の内容物の少なくとも一つの画像を作成し、該電子メモリに保存する画像取込装置（４１）と、
前記画像取込装置（４１）によって作成され、前記電子メモリに保存された画像を表示装置（７，８）上に表示し、ユーザが選択した特定の区画（６１０）が、前記調整装置（４２）を用い、前記取出口を介してユーザのアクセスが可能なものとされる、制御ユニット（４）と
を備え、
前記少なくとも一つの画像の作成と保存が、前記少なくとも一つの区画（６１０）を、前記画像取込装置（４１）の前を通過して移動させることにより、かつ／または、前記取出口を介してアクセス可能となった区画（６１０）が、その時点で、前記画像取込装置（４１）と対向するように、該画像取込装置（４１）が前記貯蔵スペース（２）内に設置されることにより、行われ、
前記制御ユニット（４）は、ユーザが前記区画（６１０）内に物を置いた場合、または前記区画（６１０）から物を取り上げた場合に行われる、少なくとも一つの所定のオペレータ制御イベントが検出されると、直ちに、前記画像取込装置（４１）に画像を作成させる制御用電子装置を有する、
収納装置。
【請求項２】
請求項１に記載の収納装置であって、保存された画像に対応する区画（６１０）をユーザが前記表示装置（７，８）を介して選択でき、選択された区画（６１０）は前記制御ユニット（４）によって、ユーザのアクセスが可能なものとされる、収納装置。
【請求項３】
請求項１または２に記載の収納装置であって、前記取出口は、調整可能な閉鎖手段（３）によって閉鎖でき、前記閉鎖手段（３）が開位置に調整され、次いで前記取出口が前記閉鎖手段（３）により閉鎖される閉位置に調整されると、前記取出口を介してアクセス可能となる区画（６１０）の内容物の画像が作成されるように、前記制御用電子装置が設計され、設けられている収納装置。
【請求項４】
請求項１〜３のいずれか一項に記載の収納装置であって、前記表示装置（７）が車両内に位置する収納装置。
【請求項５】
請求項１〜４のいずれか一項に記載の収納装置であって、前記表示装置（８）は車両外で使用できる収納装置。
【請求項６】
請求項５に記載の収納装置であって、前記表示装置がモバイル端末（８）に備えられており、前記モバイル端末（８）は、該モバイル端末（８）と前記制御ユニット（４）間の無線通信用の手段（４３）とを備える、装置。
【請求項７】
請求項１〜６のいずれか一項に記載の収納装置であって、入力装置（５）が設けられており、これによってユーザが各区画（６１０）の内容物についての情報を入力し、メモリ内に保存できる、収納装置。
【請求項８】
請求項７に記載の収納装置であって、特定の入力内容を検索するため、個々の区画（６１０）について作成され、保存された入力内容をユーザが制御ユニット（４）によって検索できる、収納装置。
【請求項９】
請求項１〜８のいずれか一項に記載の収納装置であって、前記調整装置（４２）が前記少なくとも一つの収納ユニット（６１）を調整する、少なくとも一つの循環駆動部材を備える、収納装置。
【請求項１０】
請求項１〜９のいずれか一項に記載の収納装置であって、調整可能な収納ユニット（６１）を複数備え、かつ／または、調整可能な一つの収納ユニット（６１）が複数の区画（６１０）を備える、収納装置。
【請求項１１】
請求項９または１０に記載の収納装置であって、複数の前記収納ユニット（６１）が、前記少なくとも一つの循環駆動部材と連結され、該循環該駆動部材の循環方向に沿って、一個ずつ直列に配置されている、収納装置。
【請求項１２】
請求項１〜１１のいずれか一項に記載の収納装置であって、車両の中央コンソール（１）に組み込まれている、収納装置。
【請求項１３】
請求項１〜１２のいずれか一項に記載の収納装置であって、前記区画（６１０）内の内容物は、ユーザ用の飲み物、筆記具、運転免許証、または懐中電灯を含む内容物である、収納装置。
【請求項１４】
車両用収納装置の複数の区画の少なくとも一つを利用可能とし、該区画にユーザがアクセス可能とする方法であって、
前記収納装置は、車室内に設けられており、
少なくとも
取り出し口を備える貯蔵スペース（２）と、
前記貯蔵スペース（２）内に収納され、少なくとも一つの区画（６１０）を備える少なくとも一つの収納ユニット（６１）と、
前記少なくとも一つの収納ユニット（６１）の位置を前記貯蔵スペース（２）内で調整可能であり、調整された該収納ユニット（６１）の位置に応じ、該収納装置の特定の区画（６１０）に取出口を介してユーザがアクセス可能とする、調整装置（４２）と、
電子メモリと、
前記少なくとも一つの区画（６１０）内の内容物の少なくとも一つの画像を作成し、該電子メモリに保存する画像取込装置（４１）と、
制御用電子装置を有する制御ユニット（４）と
を少なくとも備え、
各区画（６１０）の内容物の少なくとも一つの画像が、前記画像取込装置（４１）により、作成、保存され、
保存された画像は、前記制御ユニット（４）により、表示装置（７、８）上に表示されて、ユーザが表示された画像に基づき、特定の区画（６１０）を選択でき、ユーザに選択された区画（６１０）が前記調整装置（４２）により取出口を介してアクセス可能なものとされる、
方法であって、
前記少なくとも一つの画像の作成と保存が、前記少なくとも一つの区画（６１０）区画を、前記画像取込装置（４１）の前を通過して移動させることにより、かつ／または、前記取出口を介してアクセス可能となった区画（６１０）が、その時点で、前記画像取込装置（４１）と対向するように、該画像取込装置（４１）が前記貯蔵スペース（２）内に設置されることにより、行われ、
前記制御ユニット（４）の前記制御用電子装置は、ユーザが前記区画（６１０）内に物を置いた場合、または前記区画（６１０）から物を取り上げた場合に行われる、少なくとも一つの所定のオペレータ制御イベントが検出されると、直ちに、前記画像取込装置（４１）に画像を作成させる、
方法。
【請求項１５】
請求項１４に記載の方法であって、前記収納装置として請求項１から１４のいずれか一項に記載の収納装置を用いる方法。
【発明の詳細な説明】
【技術分野】
【０００１】
本発明は、請求項１の前段に記載の収納装置に関し、請求項１４の前段に係る収納装置の複数の区画（コンパートメント）の少なくとも一つを利用可能ならしめる方法に関する。
【背景技術】
【０００２】
従来技術では、物品を保管するための複数の区画を備えた車両用収納装置が、各種知られている。かかる収納装置は、例えば、中央コンソールに組み込まれ、また中央の肘掛（アームレスト）の下に設けられている。これらの収納装置の（収納用）区画は、サイズが互いに異なっていてもよく、例えば、飲料缶、筆記具等の受け具を備えていてもよい。中央コンソールの設計上、区画は比較的深く設計されており、そのため、走行中にそれらの中の物を見つけるのは比較的困難である。特に走行中の場合、ユーザは、区画内の物を探すために、区画をしばしばのぞきこむことはできない。従って、探し物は手探りで特定する必要がある。
【０００３】
特許文献１（ドイツ国特許出願公開第１００２７３７３号）は、車両用の収納装置を開示している。この収納装置は、例えば、中央コンソールに組み込むことができ、閉め切られた貯蔵スペース内において、個々に物品を収納する区画を備える複数の収納ユニットを、調整装置（adjustment device）によって調整することができる。個々の収納ユニットは、調整装置のモータ駆動により、ユーザの要求に応じて取出口へ移動され、結果として、ユーザは、その取出口を通じ、所望の収納ユニット及びその区画にアクセスすることができる。かかる収納装置により、少なくとも、異なる種類の物品を、別々の収納ユニットに分類して保管することが可能となる。収納装置の貯蔵スペース内の個々の駆動装置の調整は、例えば循環駆動部材、また例えば、個々の収納ユニットと組み合わせたベルト、リボン、または鎖等を用いて行うことができる。
【先行技術文献】
【特許文献】
【０００４】
【特許文献１】特許文献１：ドイツ国特許出願公開第１００２７３７３号
【発明の概要】
【発明が解決しようとする課題】
【０００５】
本発明は、車両用収納装置の性能を、上記先行技術よりもさらに向上することを目的とし、特に収納装置内の特定の物品をユーザがより見つけやすくすることを目的とする。
【課題を解決するための手段】
【０００６】
この目的は、請求項１に係る収納装置、および請求項１４に係る方法によって達成される。
【０００７】
ここで、車両用の収納装置は、物品を収納する複数の区画を備え、特に、
取出口を備えた貯蔵スペースと、
前記貯蔵スペース内に収容される収納ユニットであって、少なくとも一つの区画を有する少なくとも一つの収納ユニットと、
調整装置と、を備え
前記少なくとも一つの収納ユニットは、該調整装置を用いて貯蔵スペース内で調整され、調整された収納ユニットの位置に応じて、収納装置の特定の区画に取出口を介してユーザがアクセス可能となるかどうかが定まる装置である。
【０００８】
これに関連して、異なる区画を一個の収納ユニット内に設けてもよく、異なる収納ユニットに異なる区画を設けてもよい。
【０００９】
例えば、調整可能な個々の収納ユニットは、複数の区画を備えたものでもよく、区画を正確に一つだけ備えたものであってもよい。
【００１０】
本発明によれば、前記収納装置はさらに
電子メモリと、画像取込装置と、電子制御ユニット（電子制御手段）とを備え、
前記画像取込装置によって、区画の一つの内容物の画像を少なくとも一つ作成し、前記メモリに保存することができ、
前記電子制御ユニットによって、画像取込装置で作成され、前記メモリに保存された画像を表示装置に表示することができ、
（好ましくは表示装置を介して）ユーザに選択された所定の区画が、前記制御ユニットにより、前記調整装置を用いて、取出口を介してユーザのアクセスが可能なものとされる装置である。
【００１１】
こうして、ユーザにとって、収納装置内の特定の物品を見つけることがかなり容易になり、またユーザが物品を置くことができる空き区画を見つけることも容易になる。よって、収納装置に存在する区画の各内容物は、表示装置を介してユーザに表示され、ユーザは物品がどの区画に入っているのか、適当な場合には、どの物品がどの区画に入っているのかを、表示装置上で視認することができる。制御ユニットによって、選択した区画をユーザが取出口を介しアクセス可能なものとでき、結果としてユーザは、区画内から物品を取り出したり、かつ／または、区画内に物品を設置したりできる。もし、特定の区画をユーザが選択した後、選択した区画に関連する収納ユニットが未だ取出口を介してアクセス可能な調整位置にない場合には、貯蔵スペースの中で、前記制御装置が前記調整装置を駆動し、収納ユニットを対応位置に調整する。
【００１２】
一変形例において、ユーザは、保存された画像に関連する区画を、表示装置を介して直接選択でき、制御ユニットによって、選択した区画に取出口を介してユーザアクセス可能なものとできる。よって、この表示装置では、ユーザは、（好ましくは、特定の時に、表示装置のスクリーン上に）表示される個々の区画の内容物の画像をもとに、区画を選択するための入力を行い、ユーザがこの区画にアクセスできるように、収納装置の一個の収納ユニットまたは複数の収納ユニットを直ちに移動させることができる。そのため、表示装置は、例えばタッチスクリーンを備えたものであってもよい。
【００１３】
制御ユニットは、好ましくは制御用電子装置を備える。これは少なくとも一つの所定のオペレータ制御動作の発生を感知すると、直ちに画像取込装置による画像の作成処理を起動する。これは、例えばユーザが区画内に物を置いた場合、または区画から物を取り上げた場合に感知し、直ちに画像取込装置でその区画の画像を作成して、後刻、その区画のその時点での内容物を表示装置上でユーザに知らせ得るようにする。
【００１４】
一実施形態において、取出口は、調整可能な閉鎖手段によって閉鎖されてもよい。例えば、中央コンソールの場合には、肘掛（アームレスト）を閉鎖手段としてもちいてもよい。これに関連して、制御用電子装置は、閉鎖手段が開位置に調整され、後に取出口が閉鎖手段で閉鎖される閉位置に調整された際に、取出口を介してアクセス可能な区画の内容物の画像作成を始めさせるように設計・提供されている。このようにして、特に収納装置の閉鎖手段の調整が引き金となって、画像の作成が行われ、結果として区画に新たな物品が装備され、または物品が区画から取り出され得るときはいつでも、内容物の更新画像が作成され、保存される。
【００１５】
いうまでもなく、これに関連して、閉鎖手段の開位置において、取出口を介してアクセス可能であるかアクセス可能とされる、別々の区画の内容物を順次、または同時に感知するようにしてもよい。そこで例えば、ユーザは閉鎖手段の開位置において、調整装置を起動し、収納装置の一または複数の収納ユニットを調整することができ、結果として異なる区画の内容物を閉鎖手段の開位置において取り替えることができる。このような例示的実施形態は、制御ユニットを用いて、区画内の個々の内容物を画像取込装置で記録し、表示装置を介して読み出せるようにすることを意図するものである。
【００１６】
表示装置は、車両内に設けることが好ましい。表示装置の選択肢には、例えば、中央コンソール上のディスプレイ、車両のダッシュボード上のディスプレイ、および／または車両のヘッドアップディスプレイが含まれ得る。
【００１７】
あるいは、またはさらに、車両外部で表示装置を用いてもよい。この装置は、例えば車両から取り外せる装置であってもよく、また例えば、スマートフォンなどのモバイル端末であってもよい。このようにして、ユーザは、例えば外部表示装置としてのスマートフォンのアプリケーションソフトウェアを用い、自分の車両内の収納装置にどのような物が収納されているのか、何か車両内に置き忘れたものはないかを確認することができる。これに関連して、一つの変形実施形態では、車両外で使用可能な表示装置上で、特定の区画を選択して、取出口を介しその区画に接し得るようにすることは不可能であるが、そのかわり、表示された画像は単に、ユーザに車両の収納装置内の個々の区画内の内容物の情報を提供することを可能とするものであってもよい。よって、例えば、車両に固定された表示装置および／または第一の表示装置の内部ディスプレイにより、区画内の内容物を観察し、収納装置の調整装置を起動し得るものとし、付加的な第二の外部表示装置は、区画内の内容物の観察のみを行い得るものとしてもよい。
【００１８】
一発展形において、収納装置の画像取込装置により作成され保存された画像は、モバイル端末に読み出すことができる。この目的で、収納装置は、モバイル端末と制御ユニット間の無線通信を行う手段を備える。例えば電子制御ユニット自体が、上記の目的で、例えばトランシーバ装置などの形態で、モバイル端末と無線通信するため手段を備えていてもよい。ここで、上記手段は、例えばネットワーク（ＬＡＮ）通信用手段、ＧＳＭ（登録商標）、ＵＭＴＳ、ＬＴＥ等のモバイルラジオネットワーク通信用手段、および／またはＢｌｕｅｔｏｏｔｈ（登録商標）用通信手段として提供できる。
【００１９】
一発展形態では、さらに、入力装置が設けられ、これを用いてユーザは、各区画の内容物に対する入力を行い、それを保存することができる。ここで入力は、例えば、文字形態で、および／または音声形態で行うことができる。よってユーザは、各区画内の内容物に付随する情報をメモリに保存することができ、その情報により、後で区画内に保存された所望の物品を見出すことが容易になる。
【００２０】
よってまた、ユーザが、特定の入力情報を探すため、個々の区画について入力され、保存された入力情報は制御ユニットを用いて検索できるようになる。かくして、ユーザは、例えば特定の区画について、保存された画像に加え、「氷かき」、「懐中電灯」、「運転免許証」、「飲み物」などの文字を保存することができ、その後、対応情報が入力されたその区画に関する画像を表示装置により、自分に対して表示させることができる。よって、ユーザは、例えば飲料を収納する全区画を表示装置の画面に表示させることができる。
【００２１】
収納装置の調整装置は、少なくとも一つの循環駆動部材を備えてもよく、これは、少なくとも一つの収納ユニットを調整するため、少なくとも二回偏向することが好ましい。前記駆動部材は、例えば、ベルト、リボン、または鎖の形態であってもよい。かかる駆動部材を有する調整装置は、通常、高度の信頼性と、特に空間節約的で費用効果を高め得る設計を特徴とする。例えば、調整装置用のベルトドライブとチェインドライブは広く知られており、複数の収納ユニットを一つの収納スペースに適合させるため、非常にコンパクトな設計をとることができる。ここで例えば、個々の収納ユニットは、例えばパーテルノステル（循環式エレベータ）の形で収納スペースに収容・調整することができる。
【００２２】
よって、収納装置の複数の収納ユニットは、少なくとも一つの循環駆動部材と連結し、循環駆動部材の循環方向に沿って一つずつ、直列に配置することができる。調整装置の駆動モータは、これに対応して長時間駆動されるので、ユーザに選択された区画を有する特定の収納ユニットが、その区画が取出口の領域におかれ、取出口を介し、ユーザにアクセス可能となるように位置決めされることができる。
【００２３】
一変形実施形態において、収納装置は、車両の中央コンソールに組み込まれる。しかし、もちろん、本発明の収納装置を車両内の他の位置に設けてもよく、結果として、各種の物品を、分類され、適切であれば、カタログ化された形で、収納装置の異なる区画の比較的小さな収納スペースに収納することができる。しかし、これに関連し常に指摘しておくべきであるが、個々の区画の内容物に関する画像情報は、表示装置上でユーザが利用可能であり、よってユーザは収納装置に収められた物品の概観を簡単かつ迅速に取得することができる。
【００２４】
本発明のさらなる構成は、請求項１４に記載される、車両用の収納装置の複数の区画の少なくとも一つを利用可能ならしむる方法であって、結果としてその区画は、区画内から物を取り出すため、および／または、区画内に物をおくためにユーザにアクセス可能なものとなる。
【００２５】
従って、本方法の範囲内で用いられる収納装置は、上記の記載に対応し、取出口を有する少なくとも一つの貯蔵スペースと、前記貯蔵スペース内に収納され、少なくとも一つの区画を有する少なくとも一つの収納ユニットと、前記一または複数の収納ユニットを前記貯蔵スペースに適合させる調整装置とを有する。
【００２６】
本発明にかかる方法においては、
収納装置の各区画の内容物の少なくとも一つの画像を作成・保存する工程と、
保存された画像を、表示装置上に表示し、ユーザが表示された画像に基づいて特定の区画を選択して、ユーザに選択された区画を調整装置により、取出口を介してアクセス可能とする工程と
を含む方法が提供される。
【００２７】
よって、本発明は、少なくとも一つの位置決め可能な収納ユニットを有する収納装置の内容物の可視的印象をユーザに提供するための改善されたオプションを提供するものである。これに関連して、表示装置上でユーザに選択される区画は、調整装置を利用し、その区画にユーザがアクセス可能となるように位置決めされる。
【００２８】
いうまでもなく、本発明の方法においては、本発明にかかる収納装置を用いてもよい。従って、本発明にかかる収納装置の実施形態について述べた利点と特性は、本発明の方法にも適用でき、逆もまた同様である。
【図面の簡単な説明】
【００２９】
【図１】中央コンソールに組み込まれ、中央コンソール内に画像取込装置として配置されたカメラを有する、収納装置の概略図である。
【図２Ａ】二回偏向する循環駆動部材を用いて調整できるよう設置された収納装置の収納ユニットの一実施形態を示す斜視図である。
【図２Ｂ】二回偏向する循環駆動部材を用いて調整できるよう設置された収納装置の収納ユニットの別の実施形態を示す斜視図である。
【図３】モバイル端末との無線通信のためのトランシーバ装置をそなえた本発明にかかる収納装置の設計を示す概略図である。
【図４Ａ】新たな物品が区画内におかれた際に、本発明の収納装置の例示的実施形態を機能させる方法に関するフローチャートである。
【図４Ｂ】ユーザが特定の区画を選択する間に、本発明にかかる収納装置の例示的実施形態を機能させる方法に関する別のフローチャートである。
【発明を実施するための形態】
【００３０】
本発明のさらなる利点と特徴は、図面を参照しつつ、以下の実施形態の記載から明らかにされる。
【００３１】
図１は、中央コンソール１に組み込まれた収納装置の概略を示す横断面図である。中央コンソール１には、収納装置の貯蔵スペース２が形成されており、該貯蔵スペース２は、上側に取出口を有する。この取出口は、肘掛３の形の閉鎖手段によって閉鎖することができ、この肘掛３は、旋回軸３３の周りに旋回し得るように置かれている。
【００３２】
モータ駆動ドライブを備えた調整装置４２で調整され得る、収納装置の複数の収納ユニット（図１では図示しない）は、貯蔵スペース２に収納されている。これらの収納ユニットのそれぞれは、物品を受け入れるための少なくとも一つの区画を形成し、それにより、調整装置４２により貯蔵スペース２内を移動できる、該収納ユニットの一または複数の区画が中央コンソール１の肘掛３の下にあり、取出口を介してアクセス可能となる。
【００３３】
調整装置４２は、集積型の制御用電子装置とメモリを備える電子制御素子４によって制御される。ユーザは、中央コンソール１上で制御ユニット４に連結されたオペレータ制御ノブ５０の形をとる制御部品によって、貯蔵スペース２内の収納ユニットを調整できる。結果として、所望の区画が中央コンソール１の上側でアクセス可能となり、ユーザはこれを用いて個々の区画から物品を取り出し、または物品をこの区画内に置くことができる。オペレータ制御ノブ５０によって入力される制御指示は、ここで、制御ユニット４によって評価され、調整装置４２を制御するために用いられる。これに関連して機能的に類似する、中央コンソールに組み込まれた収納装置は、さらにドイツ国特許出願公開公報１００２７３７３Ａ１から知られる。
【００３４】
本発明例である実施形態は、さらに中央コンソール１に組み込まれ、カメラ４１の形をとる画像取込装置を備える。カメラ４１は、自動的に収納装置の区画の画像を採取し、これを制御ユニット４のメモリに保存する。区画を、このカメラ４１の前を通過して移動させることができ、かつ／または、この目的で（その時点で）、中央コンソール１上側の取出口を介してアクセス可能である区画がカメラ４１と対向するように、カメラ４１が貯蔵スペース２内に、設置される。いずれの場合も、ある物品が各区画内に存在するや否やを知るため、収納装置の各区画内の内容物の画像が存在し、かつ／または、少なくとも一つの情報アイテムが入手できるように、制御ユニット４はカメラ４１を起動する。例えば、その区画が最初に取出口を介してアクセス可能となる取り出し位置に移動されるならば、区画内の内容物の画像は、カメラ４１によって作成できる。このようにして、各区画の内容物の記録は、物品がそこにおさめられた可能性がわかるまでは、作成されない。
【００３５】
収納装置の各区画は、車両の内部および／または外部の表示装置を介して読み出すことができる、その時点でのただ一つの画像が、常に制御ユニット４のメモリに保存されていることが好ましい。しかし、一つの発展形態では、複数の画像が一個の区画について保存されてもよく、ここで一画像は、各区画の現時点での内容物を示し、その他の画像は、同じ区画の以前の内容物を示す。このようにして、例えば、特定の物品が区画から取り出された際に、ユーザは保存された画像を用いて、検知することができる。
【００３６】
図２Ａと２Ｂは、貯蔵スペース２内に収納され得る異なる収納ユニット６Ａおよび６Ｂの、異なる例示的実施形態を図示している。各収納ユニット６Ａ、６Ｂは、上下に積層配置され、または互いに隣接して配置された複数の区画６１０を備えた複数の収納カートリッジ６１の形態の収納ユニットを複数備えている。個々の収納カートリッジ６１は、ここでは二つのガイド部材６０ｏ、６０ｕ、または６０ｌ、６０ｒの間に保持されている。
【００３７】
図２Ａに係る収納ユニット６Ａの場合、個々の収納カートリッジ６１（ここでは四角形で図示されている）は、上部ガイド部材６０ｏと下部ガイド部材６０ｕの間に配置されており、これらの部材は、収納ユニット６Ａの上側と下側を構成し、収納カートリッジ６１は、その間に、調整可能な形で案内される。ガイド部材６０ｏと６０ｕは、それぞれ丸みを帯びた端部を有し、それらは互いに対向して配置されている。少なくとも一つの、延在する、循環駆動部材、例えばベルト、リボン、または鎖が、前記ガイド部材６０ｏと６０ｕの中で、またはこれらに沿って案内され、前記２つの丸みを帯びた端部で向きを変える。個々の収納カートリッジ６１は、それぞれこの駆動部材と連結され、一または複数の駆動部材の駆動により、駆動部材の延伸、循環する方向に沿って順々に配置された収納カートリッジ６１を調整することができる。
【００３８】
図２Ｂにおける収納ユニット６Ｂの場合、個々の収納カートリッジ６１は、左右二つのガイド部材６０ｌ、６０ｒの間に保持されている。個々の収納カートリッジ６１が連結された少なくとも一つの循環駆動部材は、ここではガイド部材６０ｌと６０ｒの上に配置されている。収納ユニット６Ｂの収納カートリッジ６１は、左右のガイド部材６０ｌと６０ｒの間に配置されており、収納カートリッジ６１がパーテルノステルのようにして調整されるよう、少なくとも一つの駆動部材によって、駆動される。よって、個々の収納カートリッジ６１は、ガイド部材６０ｌと６０ｒに案内され、関節でつながれたような形で、前記少なくとも一つの循環駆動部材に連結され、循環駆動時に、鉛直方向に対し、収納カートリッジ６１が常に同じ向きを向くように、配置されている。
【００３９】
例えば、図２Ａと図２Ｂに示すように、異なる物品の多くが、中央コンソール１の貯蔵スペース２内の収納ユニット６Ａ、６Ｂによって、各種の区画６１０内に収納されている。収納カートリッジ６１の位置に基づき、その収納カートリッジ６１の一つは、その複数の区画６１０とともに、取出口に位置し、ユーザが複数の物品を区画６１０内に設置でき、またこれらを区画から取り出せるような状態で、収納装置の肘掛３によって閉じられる。
【００４０】
これに関連して、図３に模式的に示されるように、カメラ４１により、各区画６１０の内容物の画像が作成・保存され、該画像は、制御ユニット４により、表示装置（車両内のディスプレイユニット７の形をとる）上で、読み出し可能な状態で、利用可能とされる。車両内のディスプレイユニット７はスクリーン７０を備え、これは例えば、車両の中央コンソール１もしくはダッシュボード上に配置されている。スクリーン７０に表示される個々の区画６１０の内容物の画像を選択することにより、この区画６１０を選択することができる。次いで、制御ユニット４が調整装置４２を起動し、個々の収納カートリッジ４１について選択された区画６１０が肘掛３の下の取出口でアクセス可能となるように調整する。
【００４１】
あるいは、またはさらに、調整装置４２は、電子入力装置によって駆動されてもよい。該電子入力装置は、例えば、ユーザが肘掛３を開位置に旋回した場合に、特定の区画６１０または特定の収納カートリッジ６１を貯蔵スペース２内でユーザがアクセス可能となるように調整するため、オペレータ制御ノブ５０を備える。
【００４２】
さらに、入力装置５により、ユーザは区画６１０内の内容物をより詳細に記載し、かつ／または、制御ユニット４のメモリ内をより簡単に検索し得るよう、入力を行うことができる。このようにして、ユーザは入力装置５を、例えば、物品が個々の区画６１０内に置かれたのち、区画６１０内の物品を記述する文字を入力するために用いることができる。関連する区画６１０は、後刻、使用した用語をサーチし、また例えば、入力装置５で利用可能となる音声制御手段によりその用語を指定することによって、選択することができる。
【００４３】
さらに、図３の制御ユニット４は、トランシーバ装置４３を備え、これによって、例えばスマートフォンの形をとるモバイル機器８との無線通信が可能となる。モバイル機器８はスクリーン８０を備え、制御ユニット４のメモリに保存された、個々の区画６１０の内容物に関する画像を、同様に読み出すことができる。このようにして、ユーザはまた、例えば、車両の内部に何かを置き忘れたかどうかを確認するため、モバイル機器８に搭載される対応ソフトウェアアプリケーション（通常“ａｐｐ”と略称される）により、車両の外部から、個々の収納カートリッジ６１の内容物を確認することができる。
【００４４】
一つの発展形態においてはまた、収納カートリッジ６１を調整して、カメラ４１の前を通過させるため、モバイル機器８を介して制御指示を制御ユニット４に伝えることができる。その結果、ユーザは個々の区画６１０を遠隔位置からリアルタイムで検索することが可能である。しかしながら、伝達すべきデータの量を減らすためには、既にカメラ４１により作成され、制御ユニット４のメモリに保存された個々の区画６１０の内容物に関する画像のみを、モバイル機器８のスクリーン８０上に表示し得ることが、より好ましいと考慮される。そのため、例えば、モバイル機器８用の対応ソフトウェアアプリケーションに、少なくとも二つの操作モードのうち一つの操作モードを設けることができる。第一の操作モードでは、必要に応じ調整装置４２の制御設備を用い、区画の内容物をリアルタイムで確認する。第二の操作モードでは、保存された画像のみを確認する。
【００４５】
例えば、図４Ａおよび４Ｂは、本発明に係る収納装置を機能させるために、とり得る方法を明確化するためのフローチャートである。該収納装置は、例えば図１の中央コンソール１に組み込まれている。ここで、新規の物品が収納装置の区画６１０におかれた際に実施される個々のステップは、図４Ａに図示されている。他方、図４Ｂは、例えばディスプレイユニット７またはモバイル機器８などの表示装置上でユーザが特定の区画６１０を選択し、選択した区画を肘掛３下の取出口で利用可能とする際の個々の方法ステップを図示するものである。
【００４６】
図４Ａのフローチャートにおいて、肘掛３の開放は、最初、ステップＳ１において、オペレータ制御イベントとして検出される。そのため、例えば、対応動作センサおよび／または光学センサおよび／または電気接点が中央コンソール１上に設けられている。
【００４７】
後のステップＳ２では、制御ユニット４の制御用電子装置により、カメラ４１によって、肘掛３を開きにした直後、肘掛３の開いた後の所定時間後、または肘掛３の閉じの後でも、取出口にある一または複数の区画６１０の画像の作成が開始される。一または複数の区画６１０の内容物の画像は、制御ユニット４のメモリ内に保存され、結果として、この（またはこれらの）画像を、ユーザに情報を提供するために、ディスプレイユニット７および／またはモバイル機器８上に読み出すことができる。
【００４８】
次の質問Ａ１では、制御ユニット４の制御用電子装置によって、ユーザが、現時点で取出口を介しアクセス可能である区画６１０の内容物、または区画内に保存される物品に関する付加的な情報をメモリ内に保存したいかどうか質問される。これに関連して、ユーザは、区画内の内容物を記載するために、例えば文字を入力することもできるし、音声メッセージを記録することもできる。
【００４９】
ユーザが質問Ａ１に対し、肯定の回答をした場合、後のステップＳ３で入力装置５、ディスプレイユニット７、またはモバイル機器８を介して対応する入力を行うことができる。一つの例示的実施形態では、ユーザは、この目的のため、既定の複数のキーワードから選択を行ってもよい。
【００５０】
後工程Ｓ４では、付加的な入力情報が、個々の区画に関連して保存された画像にリンクされ、この情報がユーザに入手可能となる。質問Ａ１に対する回答が否定であれば、ステップＳ４においては、個々の区画または画像に関し、追加情報がないことのみが、メモリに記録される。
【００５１】
ステップS５では、ディスプレイユニット７またはモバイル機器８に対する入力をともない、個々の区画６１０の内容物に関する画像を表示するために、図４Ｂに示す機能スキーマが開始される。
【００５２】
後のステップＳ６では、ユーザは、スクリーン７０または８０上で、特定の画像、よって特定の区画６１０を選択する。
【００５３】
その後、方法ステップＳ７において、選択された区画６１０を取り出し位置に移動するため、制御ユニット４は調整装置４２のドライブモータを起動する。結果として、肘掛３を開動した際に、取出口を介して区画６１０にアクセスすることが可能となる。
【００５４】
後のステップＳ８では、開きと、適切であれば、区画６１０内からの物品の取り出しが検出される。これに続いて、ちょうどアクセス可能となった区画６１０の新たな画像を取りなおすために、図４Ａの機能シーケンスが行われる。
【００５５】
従って、本発明の解決手段によれば、貯蔵スペース２内に調整可能に設置された収納カートリッジ６１に設けられた個々の区画６１０内の内容物の自動的に惹起された記録を作成することができ、別に設けられた中央コンソール１のスクリーン７０またはダッシュボードのメインスクリーン、また適当な場合には、モバイル機器８のスクリーン８０にも、内容物を表示することができる。これに関連して、個々のスクリーン７０または８０を介し、所望の区画６１０を直接選択することもできる。さらに、個々の区画６１０の内容物は、簡単に、良好なやり方でカタログ化することができ、ユーザの入力を該内容物に付け加えることもできる。これに関連して、制御ユニット４は、上記の目的で、システムの音声制御手段を備えていてもよい。
なお本発明は、以下の態様を含む。
［態様１］
物品を収納するための複数の区画を備える、車両用収納装置であって、
取出口を備える貯蔵スペース（２）と、
前記貯蔵スペース（２）内に収納され、少なくとも一つの区画（６１０）を備える少なくとも一つの収納ユニット（６１）と、
前記少なくとも一つの収納ユニット（６１）の位置を前記貯蔵スペース（２）内で調整可能であり、調整された該収納ユニット（６１）の位置に応じ、該収納装置の特定の区画（６１０）に取出口を介してユーザがアクセス可能とする、調整装置（４２）とを少なくとも備え、
さらに少なくとも、
電子メモリと、
前記少なくとも一つの区画（６１０）内の内容物の少なくとも一つの画像を作成し、該電子メモリに保存する画像取込装置（４１）と、
前記画像取込装置（４１）によって作成され、前記電子メモリに保存された画像を表示装置（７，８）上に表示し、ユーザが選択した特定の区画（６１０）が、前記調整装置（４２）を用い、前記取出口を介してユーザのアクセスが可能なものとされる、制御ユニット（４）と
を備える収納装置。
［態様２］
態様１に記載の収納装置であって、保存された画像に対応する区画（６１０）をユーザが前記表示装置（７，８）を介して選択でき、選択された区画（６１０）は前記制御ユニット（４）によって、ユーザのアクセスが可能なものとされる、収納装置。
［態様３］
態様１または２に記載の収納装置であって、少なくとも一つの所定のオペレータ制御イベントが検出されると、直ちに、前記画像取込装置（４１）に画像を作成させる、制御用電子装置を前記制御ユニット（４）が有する、収納装置。
［態様４］
態様３に記載の収納装置であって、前記取出口は、調整可能な閉鎖手段（３）によって閉鎖でき、前記閉鎖手段（３）が開位置に調整され、次いで前記取出口が前記閉鎖手段（３）により閉鎖される閉位置に調整されると、前記取出口を介してアクセス可能となる区画（６１０）の内容物の画像が作成されるように、前記制御用電子装置が設計され、設けられている収納装置。
［態様５］
態様１〜４のいずれか一態様に記載の収納装置であって、前記表示装置（７）が車両内に位置する収納装置。
［態様６］
態様１〜５のいずれか一態様に記載の収納装置であって、前記表示装置（８）は車両外で使用できる収納装置。
［態様７］
態様６に記載の収納装置であって、前記表示装置がモバイル端末（８）に備えられており、前記モバイル端末（８）は、該モバイル端末（８）と前記制御ユニット（４）間の無線通信用の手段（４３）とを備える、装置。
［態様８］
態様１〜７のいずれか一態様に記載の収納装置であって、入力装置（５）が設けられており、これによってユーザが各区画（６１０）の内容物についての情報を入力し、メモリ内に保存できる、収納装置。
［態様９］
態様８に記載の収納装置であって、特定の入力内容を検索するため、個々の区画（６１０）について作成され、保存された入力内容をユーザが制御ユニット（４）によって検索できる、収納装置。
［態様１０］
態様１〜９のいずれか一態様に記載の収納装置であって、前記調整装置（４２）が前記少なくとも一つの収納ユニット（６１）を調整する、少なくとも一つの循環駆動部材を備える、収納装置。
［態様１１］
態様１〜１０のいずれか一態様に記載の収納装置であって、調整可能な収納ユニット（６１）を複数備え、かつ／または、調整可能な一つの収納ユニット（６１）が複数の区画（６１０）を備える、収納装置。
［態様１２］
態様１０または１１に記載の収納装置であって、複数の前記収納ユニット（６１）が、前記少なくとも一つの循環駆動部材と連結され、該循環該駆動部材の循環方向に沿って、一個ずつ直列に配置されている、収納装置。
［態様１３］
態様１〜１２のいずれか一態様に記載の収納装置であって、車両の中央コンソール（１）に組み込まれている、収納装置。
［態様１４］
車両用収納装置の複数の区画の少なくとも一つを利用可能とし、該区画にユーザがアクセス可能とする方法であって、
前記収納装置は、少なくとも
取り出し口を備える貯蔵スペース（２）と、
前記貯蔵スペース（２）内に収納され、少なくとも一つの区画（６１０）を備える少なくとも一つの収納ユニット（６１）と、
前記少なくとも一つの収納ユニット（６１）の位置を前記貯蔵スペース（２）内で調整可能であり、調整された該収納ユニット（６１）の位置に応じ、該収納装置の特定の区画（６１０）に取出口を介してユーザがアクセス可能とする、調整装置（４２）とを少なくとも備え、
各区画（６１０）の内容物の少なくとも一つの画像が作成、保存され、
保存された画像は、表示装置（７、８）上に表示されて、ユーザが表示された画像に基づき、特定の区画（６１０）を選択でき、ユーザに選択された区画（６１０）が前記調整装置（４２）により取出口を介してアクセス可能なものとされる、
方法。
［態様１５］
態様１４に記載の方法であって、態様１から１３のいずれか一態様に記載の収納装置が設けられている方法。
【符号の説明】
【００５６】
１      中央コンソール
２      貯蔵スペース
３      肘掛  （閉鎖手段）
３３    旋回軸
４      制御ユニット
４１    カメラ（画像取込装置）
４２    調整装置
４３    トランシーバ装置
５      入力装置
５０    オペレータ制御ノブ  （制御部品）
６０ｏ、６０ｕ、６０ｌ、６０ｒ    ガイド部材
６１    収納カートリッジ（収納ユニット）
６１０  区画
６Ａ、６Ｂ  収納ユニット
７      ディスプレイユニット（表示装置）
７０    スクリーン
８      モバイル機器（表示装置）
８０    スクリーン
Ａ１    質問
Ｓ１−Ｓ８  方法ステップ
【図１】
0006571084.tif 000002
【図２Ａ】
0006571084.tif 000003
【図２Ｂ】
0006571084.tif 000004
【図３】
0006571084.tif 000005
【図４Ａ】
0006571084.tif 000006
【図４Ｂ】
0006571084.tif 000007